(57)【要約】【課題】明るさの安定性と温度とを考慮して電力を放電ランプに供給することができる技術を提供することを目的とする。【解決手段】第１電極が陽極として動作する第１半周期において、第１半周期における放電ランプを流れる電流の最大ピークが、第１半周期の内の後半に形成されるように、電流を変動させる。そして、第２電極が陽極として動作する第２半周期において、第２半周期における電流の変動幅が、第１半周期における電流の変動幅よりも小さくなるように、電流を制御する。【選択図】  図５
2009193935.tif 000002
【特許請求の範囲】
【請求項１】
第１電極と第２電極とを有する放電ランプの駆動装置であって、
前記第１電極と前記第２電極との間に交流電力を供給する電力供給部を備え、
前記電力供給部は、
（Ａ）前記第１電極が陽極として動作する第１半周期において、前記第１半周期における前記放電ランプを流れる電流の最大ピークが、前記第１半周期の内の後半に形成されるように、前記電流を変動させ、
（Ｂ）前記第２電極が陽極として動作する第２半周期において、前記第２半周期における前記電流の変動幅が、前記第１半周期における前記電流の変動幅よりも小さくなるように、前記電流を制御する、
放電ランプ駆動装置。
【請求項２】
請求項１に記載の放電ランプ駆動装置であって、
前記電力供給部は、前記第２半周期において、前記電流を一定値に維持する、
放電ランプ駆動装置。
【請求項３】
請求項１または請求項２に記載の放電ランプ駆動装置であって、
前記電力供給部は、前記第１半周期から前記第２半周期に切り替わる直前に、前記最大ピークを形成する、
放電ランプ駆動装置。
【請求項４】
請求項１ないし請求項３のいずれかに記載の放電ランプ駆動装置であって、
前記電力供給部は、前記第１電極が陽極として動作する第１状態の累積時間よりも、前記第２電極が陽極として動作する第２状態の累積時間が短くなるように前記交流電力の極性を切り替える、
放電ランプ駆動装置。
【請求項５】
光源装置であって、
請求項１ないし請求項４のいずれかに記載の放電ランプ駆動装置と、
前記放電ランプと、
前記放電ランプの前記第１電極側に配置されるとともに、前記放電ランプからの光を所定方向に向かって反射する主反射鏡と、
前記放電ランプの前記第２電極側に配置されるとともに、前記放電ランプからの光を前記主反射鏡に向かって反射する副反射鏡と、
を備える、光源装置。
【請求項６】
プロジェクタであって、
請求項１ないし請求項４のいずれかに記載の放電ランプ駆動装置と、
前記放電ランプと、
前記放電ランプによって発せられた光を、画像を投写するための投写光に変調する空間光変調部と、
前記投写光を投写する投写光学系と、
を備える、プロジェクタ。
【請求項７】
第１電極と第２電極とを有する放電ランプの駆動方法であって、
前記第１電極と前記第２電極との間に交流電力を供給する電力供給工程を備え、
前記電力供給工程は、
（Ａ）前記第１電極が陽極として動作する第１半周期において、前記第１半周期における前記放電ランプを流れる電流の最大ピークが、前記第１半周期の内の後半に形成されるように、前記電流を変動させる工程と、
（Ｂ）前記第２電極が陽極として動作する第２半周期において、前記第２半周期における前記電流の変動幅が、前記第１半周期における前記電流の変動幅よりも小さくなるように、前記電流を制御する工程と、
を含む、駆動方法。
【発明の詳細な説明】
【技術分野】
【０００１】
本発明は、放電ランプ駆動装置とその方法、光源装置、プロジェクタに関するものである。
【背景技術】
【０００２】
従来より、放電ランプを利用した光源装置が利用されている。また、放電ランプに設けられた２つの電極の間で放電を行うために、交流電力を放電ランプに供給する技術が知られている。
【０００３】
【特許文献１】特開２００６−４９１９号公報
【特許文献２】特開２００３−３３８３９４号公報
【特許文献３】特開２００６−９３００８号公報
【特許文献４】特開２００６−１２０６５４号公報
【発明の開示】
【発明が解決しようとする課題】
【０００４】
放電ランプは種々の条件下において利用される。例えば、放電ランプが冷却風によって冷却される。ここで、反射鏡やランプ固定部材等の種々の部材に冷却風が遮られ、放電ランプの一部の冷却が弱くなる場合がある。また、反射鏡からの反射光が放電ランプの一部に照射されて、その部分の温度が高くなる場合がある。このような種々の要因によって、２つの電極の間の温度差が大きくなる場合があった。また、このような温度差に起因して、種々の不具合が生じる場合があった。例えば、温度が上昇し難い一方の電極において、放電位置（アーク位置）が安定せずに移動する場合がある。ところで、放電ランプを点灯させる場合には、明るさが安定していることが好ましい。ところが、明るさの安定性と温度とを考慮して電力を放電ランプに供給する点については、十分な工夫がなされていないのが実情であった。
【０００５】
本発明は、上記の課題の少なくとも一部を解決するためになされたものであり、明るさの安定性と温度とを考慮して電力を放電ランプに供給することができる技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］第１電極と第２電極とを有する放電ランプの駆動装置であって、前記第１電極と前記第２電極との間に交流電力を供給する電力供給部を備え、前記電力供給部は、（Ａ）前記第１電極が陽極として動作する第１半周期において、前記第１半周期における前記放電ランプを流れる電流の最大ピークが、前記第１半周期の内の後半に形成されるように、前記電流を変動させ、（Ｂ）前記第２電極が陽極として動作する第２半周期において、前記第２半周期における前記電流の変動幅が、前記第１半周期における前記電流の変動幅よりも小さくなるように、前記電流を制御する、放電ランプ駆動装置。
【０００８】
この構成によれば、電流の最大ピークが、第１半周期の内の後半に形成されるので、第１電極の温度を適切に高めることができる。また、第２半周期における電流の変動幅が、第１半周期における電流の変動幅よりも小さいので、第１および第２半周期において、同じ変動幅を設けた場合と比較して、放電ランプの明るさの変動を抑制できる。これらの結果、明るさの安定性と温度とを考慮して電力を放電ランプに供給することができる。
【０００９】
［適用例２］適用例１に記載の放電ランプ駆動装置であって、前記電力供給部は、前記第２半周期において、前記電流を一定値に維持する、放電ランプ駆動装置。
【００１０】
この構成によれば、放電ランプの明るさが変動する時間の割合を小さくすることができる。
【００１１】
［適用例３］適用例１または適用例２に記載の放電ランプ駆動装置であって、前記電力供給部は、前記第１半周期から前記第２半周期に切り替わる直前に、前記最大ピークを形成する、放電ランプ駆動装置。
【００１２】
この構成によれば、より適切に、第１電極の温度を高めることができる。
【００１３】
［適用例４］適用例１ないし適用例３のいずれかに記載の放電ランプ駆動装置であって、前記電力供給部は、前記第１電極が陽極として動作する第１状態の累積時間よりも、前記第２電極が陽極として動作する第２状態の累積時間が短くなるように前記交流電力の極性を切り替える、放電ランプ駆動装置。
【００１４】
この構成によれば、極性の切替によって、容易に、第１状態での電力量を第２状態での電力量よりも大きくすることができる。従って、第１電極の温度が低く第２電極の温度が高いことを示す温度差が過剰に大きくなることを抑制できる。
【００１５】
［適用例５］光源装置であって、適用例１ないし適用例４のいずれかに記載の放電ランプ駆動装置と、前記放電ランプと、前記放電ランプの前記第１電極側に配置されるとともに、前記放電ランプからの光を所定方向に向かって反射する主反射鏡と、前記放電ランプの前記第２電極側に配置されるとともに、前記放電ランプからの光を前記主反射鏡に向かって反射する副反射鏡と、を備える、光源装置。
【００１６】
［適用例６］プロジェクタであって、適用例１ないし適用例４のいずれかに記載の放電ランプ駆動装置と、前記放電ランプと、前記放電ランプによって発せられた光を、画像を投写するための投写光に変調する空間光変調部と、前記投写光を投写する投写光学系と、を備える、プロジェクタ。
【００１７】
［適用例７］第１電極と第２電極とを有する放電ランプの駆動方法であって、前記第１電極と前記第２電極との間に交流電力を供給する電力供給工程を備え、前記電力供給工程は、（Ａ）前記第１電極が陽極として動作する第１半周期において、前記第１半周期における前記放電ランプを流れる電流の最大ピークが、前記第１半周期の内の後半に形成されるように、前記電流を変動させる工程と、（Ｂ）前記第２電極が陽極として動作する第２半周期において、前記第２半周期における前記電流の変動幅が、前記第１半周期における前記電流の変動幅よりも小さくなるように、前記電流を制御する工程と、を含む、駆動方法。
【００１８】
なお、本発明は、種々の形態で実現することが可能であり、例えば、放電ランプ駆動方法および駆動装置、その駆動装置と光源ランプとを有する光源装置およびその制御方法、その光源装置を有するプロジェクタおよびその制御方法、それらの方法または装置の機能を実現するためのコンピュータプログラム、そのコンピュータプログラムを記録した記録媒体、等の形態で実現することができる。
【発明を実施するための最良の形態】
【００１９】
次に、この発明の実施の形態を実施例に基づいて以下の順序で説明する。
Ａ．第１実施例：
Ｂ．第２実施例：
Ｃ．第３実施例：
Ｄ．第４実施例：
Ｅ．第５実施例：
Ｆ．第６実施例：
Ｇ．第７実施例：
Ｈ．第８実施例
Ｉ．変形例：
【００２０】
Ａ．第１実施例：
図１は、本発明の一実施例としてのプロジェクタ１０００を示す説明図である。プロジェクタ１０００は、光源装置１００と、平行化レンズ３０５と、照明光学系３１０と、色分離光学系３２０と、３つの液晶ライトバルブ３３０Ｒ、３３０Ｇ、３３０Ｂと、クロスダイクロイックプリズム３４０と、投写光学系３５０とを有している。
【００２１】
光源装置１００は、光源ユニット１１０と、電力供給部２００と、を有している。光源ユニット１１０は、主反射鏡１１２と放電灯５００とを有している。電力供給部２００は、放電灯５００に電力を供給して、放電灯５００を点灯させる。主反射鏡１１２は、放電灯５００から放出された光を、照射方向Ｄに向けて反射する。照射方向Ｄは、光軸ＡＸと平行である。光源ユニット１１０からの光は、平行化レンズ３０５を通過して照明光学系３１０に入射する。この平行化レンズ３０５は、光源ユニット１１０からの光を、平行化する。
【００２２】
照明光学系３１０は、光源装置１００からの光の照度を均一化する。また、照明光学系３１０は、光源装置１００からの光の偏光方向を一方向に揃える。この理由は、光源装置１００からの光を有効に利用するためである。照度分布と偏光方向とが調整された光は、色分離光学系３２０に入射する。色分離光学系３２０は、入射光を、赤（Ｒ）、緑（Ｇ）、青（Ｂ）の３つの色光に分離する。３つの色光は、各色に対応付けられた液晶ライトバルブ３３０Ｒ、３３０Ｇ、３３０Ｂによって、それぞれ変調される。変調された３つの色光は、クロスダイクロイックプリズム３４０によって合成される。合成光は、投写光学系３５０に入射する。投写光学系３５０は、入射光を、図示しないスクリーンに投写する。これにより、スクリーン上には画像が表示される。
【００２３】
なお、平行化レンズ３０５と、照明光学系３１０と、色分離光学系３２０と、クロスダイクロイックプリズム３４０と、投写光学系３５０とのそれぞれの構成としては、周知の種々の構成を採用可能である。
【００２４】
図２は、光源装置１００の構成を示す説明図である。光源装置１００は、光源ユニット１１０と電力供給部２００とを有している。図中には、光源ユニット１１０の断面図が示されている。光源ユニット１１０は、主反射鏡１１２と放電灯５００とを有している。放電灯５００は、放電灯本体５１０と副反射鏡５２０とを有している。放電灯本体５１０は、特許請求の範囲における「放電ランプ」に相当する。
【００２５】
放電灯本体５１０の形状は、第１端部５１０ｅ１から第２端部５１０ｅ２まで、照射方向Ｄに沿って延びる棒形状である。放電灯本体５１０の材料は、例えば、石英ガラス等の透光性材料である。放電灯本体５１０の中央部は球状に膨らんでおり、その内には、放電空間５１２が形成されている。放電空間５１２内には、希ガス、金属ハロゲン化合物等を含む放電媒体であるガスが封入されている。
【００２６】
また、放電空間５１２内には、２つの電極５３２、５４２が、放電灯本体５１０から突出している。第１電極５３２は、放電空間５１２の第１端部５１０ｅ１側に配置され、第２電極５４２は、放電空間５１２の第２端部５１０ｅ２側に配置されている。これらの電極５３２、５４２の形状は、光軸ＡＸに沿って延びる棒形状である。放電空間５１２内では、各電極５３２、５４２の先端（「放電端」とも呼ぶ）が、所定距離だけ離れて向かい合っている。なお、これらの電極５３２、５４２の材料は、例えば、タングステン等の金属である。
【００２７】
放電灯本体５１０の第１端部５１０ｅ１には、第１端子５３６が設けられている。第１端子５３６と第１電極５３２とは、放電灯本体５１０の内部を通る導電性部材５３４によって電気的に接続されている。同様に、放電灯本体５１０の第２端部５１０ｅ２には、第２端子５４６が設けられている。第２端子５４６と第２電極５４２とは、放電灯本体５１０の内部を通る導電性部材５４４によって電気的に接続されている。各端子５３６、５４６の材料は、例えば、タングステン等の金属である。また、各導電性部材５３４、５４４としては、例えば、モリブデン箔が利用される。
【００２８】
これらの端子５３６、５４６は、電力供給部２００に接続されている。電力供給部２００は、これらの端子５３６、５４６に、交流電流を供給する。その結果、２つの電極５３２、５４２の間でアーク放電が起きる。アーク放電により発生した光（放電光）は、破線の矢印で示すように、放電位置から全方向に向かって放射される。
【００２９】
放電灯本体５１０の第１端部５１０ｅ１には、固定部材１１４によって、主反射鏡１１２が固定されている。主反射鏡１１２の反射面（放電灯本体５１０側の面）の形状は、回転楕円形状である。主反射鏡１１２は、放電光を照射方向Ｄに向かって反射する。なお、主反射鏡１１２の反射面の形状としては、回転楕円形状に限らず、放電光を照射方向Ｄに向かって反射するような種々の形状を採用可能である。例えば、回転放物線形状を採用してもよい。この場合は、主反射鏡１１２は、放電光を、光軸ＡＸにほぼ平行な光に変換することができる。従って、平行化レンズ３０５（図１）を省略することができる。
【００３０】
放電灯本体５１０の第２端部５１０ｅ２側には、固定部材５２２によって、副反射鏡５２０が固定されている。副反射鏡５２０の反射面（放電灯本体５１０側の面）の形状は、放電空間５１２の第２端部５１０ｅ２側を囲む球面形状である。副反射鏡５２０は、放電光を、主反射鏡１１２に向かって反射する。これにより、放電空間５１２から放射される光の利用効率を高めることができる。
【００３１】
なお、固定部材１１４、５２２の材料としては、放電灯本体５１０の発熱に耐える任意の耐熱材料（例えば、無機接着剤）を採用可能である。また、鏡１１２、５２０と放電灯本体５１０との配置を固定する方法としては、鏡１１２、５２０を放電灯本体５１０に固定する方法に限らず、任意の方法を採用可能である。例えば、放電灯本体５１０と主反射鏡１１２とを、独立に、プロジェクタの筐体（図示せず）に固定してもよい。副反射鏡５２０についても同様である。
【００３２】
図３は、電力供給部２００の構成を示す説明図である。電力供給部２００は、ダウンチョッパ回路Ｃ１と、インバータブリッジ回路Ｃ２と、イグナイタ回路Ｃ３と、回路Ｃ１〜Ｃ２を制御する制御回路Ｃ４と、を有している。
【００３３】
ダウンチョッパ回路Ｃ１は、図示しない直流電源から電力供給を受け、そして、出力電力を制御する。このような回路としては、周知の種々の回路を採用可能である。例えば、図３に示すような、スイッチ素子（トランジスタ）Ｔｒｃと、ダイオードＤ１と、コイルＬ１と、コンデンサＣｄ１とを組み合わせた回路を採用可能である。スイッチ素子Ｔｒｃには、制御回路Ｃ４から制御信号ＣＳｃが入力される。制御信号ＣＳｃは、例えば、ＨレベルとＬレベルとが周期的に繰り返す信号である。制御回路Ｃ４は、制御信号ＣＳｃのデューティ比を制御することによって、出力電圧を制御する。
【００３４】
インバータブリッジ回路Ｃ２は、ダウンチョッパ回路Ｃ１から電力供給を受け、そして、出力電力の波形を制御する。本実施例では、インバータブリッジ回路Ｃ２は、直流電力を交流電力に変換する。このような回路としては、周知の種々の回路を採用可能である。本実施例では、インバータブリッジ回路Ｃ２は、いわゆるＨ型ブリッジ回路である。このインバータブリッジ回路Ｃ２は、４つのトランジスタＴｒ１〜Ｔｒ４を有している。２つのトランジスタＴｒ１、Ｔｒ２が、第１出力ラインＯＬ１を制御し、他の２つのトランジスタＴｒ３、Ｔｒ４が、第２出力ラインＯＬ２を制御する。トランジスタＴｒ１〜Ｔｒ４には、制御回路Ｃ４から、制御信号ＣＳ１〜ＣＳ４が、それぞれ入力される。制御回路Ｃ４は、これらの制御信号ＣＳ１〜ＣＳ４によって、出力ラインＯＬ１、ＯＬ２から出力される電力（駆動信号）の波形を制御する。
【００３５】
イグナイタ回路Ｃ３は、図示しない昇圧回路を含んでいる。イグナイタ回路Ｃ３は、点灯開始時に、高電圧パルスを電極５３２、５４２（図２）間に印加する。これにより、電極間の絶縁が破壊されて、放電経路が作られる。その後の定常的な点灯状態においては、インバータブリッジ回路Ｃ２は、イグナイタ回路Ｃ３を介して、交流電力（駆動信号）を放電灯５００に供給する。なお、このようなイグナイタ回路Ｃ３としては、周知の種々の回路を採用可能である。
【００３６】
次に、電力の極性と電極の温度との関係と、交流電力とについて説明し、続けて、本実施例における交流電力（駆動信号）について説明する。
【００３７】
図４（Ａ）〜４（Ｄ）は、電力の極性と電極の温度との関係を示す説明図である。図４（Ａ）、４（Ｂ）は、２つの電極５３２、５４２の動作状態を示している。図中には、２つの電極５３２、５４２の先端部分が示されている。電極５３２、５４２の先端には突起５３２ｐ、５４２ｐがそれぞれ設けられている。放電は、これらの突起５３２ｐ、５４２ｐの間で生じる。本実施例では、突起が無い場合と比べて、各電極５３２、５４２における放電位置（アーク位置）の移動を抑えることができる。ただし、このような突起を省略してもよい。
【００３８】
図４（Ａ）は、第１電極５３２が陽極として動作し、第２電極５４２が陰極として動作する第１状態Ｓ１を示している。第１状態Ｓ１では、放電によって、第２電極５４２（陰極）から第１電極５３２（陽極）へ電子が移動する。陰極（第２電極５４２）からは、電子が放出される。陰極（第２電極５４２）から放出された電子は、陽極（第１電極５３２）の先端に衝突する。この衝突によって熱が生じ、そして、陽極（第１電極５３２）の先端（突起５３２ｐ）の温度が上昇する。
【００３９】
図４（Ｂ）は、第１電極５３２が陰極として動作し、第２電極５４２が陽極として動作する第２状態Ｓ２を示している。第２状態Ｓ２では、第１状態Ｓ１とは逆に、第１電極５３２から第２電極５４２へ電子が移動する。その結果、第２電極５４２の先端（突起５４２ｐ）の温度が上昇する。
【００４０】
このように、陽極の温度は、陰極と比べて高くなりやすい。ここで、一方の電極の温度が他方の電極と比べて高い状態が続くことは、種々の不具合を引き起こし得る。例えば、高温電極の先端が過剰に溶けた場合には、意図しない電極変形が生じ得る。その結果、アーク長が適正値からずれる場合がある。また、低温電極の先端の溶融が不十分な場合には、先端に生じた微少な凹凸が溶けずに残り得る。その結果、いわゆるアークジャンプが生じる場合がある（アーク位置が安定せずに移動する）。
【００４１】
このような不具合を抑制する技術として、各電極の極性を繰り返し交替させる交流駆動を利用可能である。図４（Ｃ）は、放電灯５００（図２）に供給される交流電力（駆動信号）を示すタイミングチャートである。横軸は時間Ｔを示し、縦軸は電流Ｉを示している。電流Ｉは、放電灯５００を流れる電流を示す。正値は、第１状態Ｓ１を示し、負値は、第２状態Ｓ２を示す。図４（Ｃ）の例では、矩形波交流電流が利用されている。そして、第１状態Ｓ１と第２状態Ｓ２とが交互に繰り返される。ここで、第１時間Ｔ１は、第１状態Ｓ１が続く時間を示し、第２時間Ｔ２は、第２状態Ｓ２が続く時間を示す。また、第１電流値Ｉｍ１は、第１状態Ｓ１での電流値Ｉ（絶対値）を示し、第２電流値Ｉｍ２は、第２状態Ｓ２での電流値Ｉ（絶対値）を示す。なお、駆動周波数は、放電灯５００（放電灯本体５１０）の特性に合わせて、実験的に決定可能である（例えば、３０Ｈｚ〜１ｋＨｚの範囲の値が採用される）。他の値Ｉｍ１、Ｉｍ２、Ｔ１、Ｔ２も、同様に実験的に決定可能である。
【００４２】
図４（Ｄ）は、第１電極５３２の温度変化を示すタイミングチャートである。横軸は時間Ｔを示し、縦軸は温度ＴＰを示している。第１状態Ｓ１では、第１電極５３２の温度ＴＰが上昇し、第２状態Ｓ２では、第１電極５３２の温度ＴＰが降下する。また、第１状態Ｓ１と第２状態Ｓ２状態が繰り返されるので、温度ＴＰは、最小値ＴＰｍｉｎと最大値ＴＰｍａｘとの間で周期的に変化する。なお、図示は省略するが、第２電極５４２の温度は、第１電極５３２の温度ＴＰとは逆位相で変化する。すなわち、第１状態Ｓ１では、第２電極５４２の温度が降下し、第２状態Ｓ２では、第２電極５４２の温度が上昇する。
【００４３】
第１状態Ｓ１では、第１電極５３２（突起５３２ｐ）の先端が溶融するので、第１電極５３２（突起５３２ｐ）の先端が滑らかになる。これにより、第１電極５３２での放電位置の移動を抑制できる。また、第２電極５４２（突起５４２ｐ）の先端の温度が降下するので、第２電極５４２（突起５４２ｐ）の過剰な溶融が抑制される。これにより、意図しない電極変形を抑制できる。第２状態Ｓ２では、第１電極５３２と第２電極５４２の立場が逆である。従って、２つの状態Ｓ１、Ｓ２を繰り返すことによって、２つの電極５３２、５４２のそれぞれにおける不具合を抑制できる。
【００４４】
ここで、電流Ｉの波形が対称である場合、すなわち、電流Ｉの波形が「Ｉｍ１＝Ｉｍ２、Ｔ１＝Ｔ２」という条件を満たす場合には、２つの電極５３２、５４２の間で、供給される電力の条件が同じである。従って、２つの電極５３２、５４２の間の温度の差が小さくなると推定される。ところが、電力に加えて他の要因が、２つの電極５３２、５４２の間の温度差を引き起こす場合がある。例えば、図２に示すような副反射鏡５２０を利用する場合がある。この場合には、副反射鏡５２０からの反射光は、第１電極５３２よりも第２電極５４２を強く照らす。また、放電灯本体５１０の第２電極５４２側の空冷が、副反射鏡５２０によって抑制される。このような種々の条件に起因して、電流Ｉの波形が対称である場合に、第１電極５３２の温度が低く第２電極５４２の温度が高いことを示す温度差が大きくなり得る。
【００４５】
特に、本実施例では、第１電極５３２の温度上昇が不十分な場合がある。この場合には、第１電極５３２の先端に生じた凹凸が溶けずに残る可能性がある。その結果、アークジャンプが生じる可能性がある。
【００４６】
そこで、本実施例では、交流電流（交流電力）の半周期の後半に、電流の最大ピークを設けている。図５は、本実施例の電流Ｉの波形を示している。横軸は時間Ｔを示し、縦軸は電流Ｉを示している。本実施例では、第１状態Ｓ１に対応する半周期において、電流Ｉ（絶対値）が、ゼロより大きな最小値Ｉｍ１ａから、最大値Ｉｍ１ｂまで、時間Ｔとともに直線的に増大している（以下、この半周期を「第１半周期ＨＣ１」とも呼ぶ）。その結果、第１半周期ＨＣ１の最後に電流Ｉの最大ピークＰｋが形成されている。この最大ピークＰｋは、電流Ｉ（絶対値）が第１半周期ＨＣ１内で最大であるピークを意味している。また、第２状態Ｓ２に対応する半周期では、電流Ｉは一定値（−Ｉｍ２）に維持されている（以下、この半周期を「第２半周期ＨＣ２）とも呼ぶ）。
【００４７】
また、図中の第１変動幅ｄ１は、第１半周期ＨＣ１における電流Ｉの変動幅を示している。この第１変動幅ｄ１は、第１半周期ＨＣ１内の電流Ｉの最大値から最小値を引いた差分である（本実施例では、ｄ１＝Ｉｍ１ｂ−Ｉｍ１ａ）。図中の第２変動幅ｄ２は、第２半周期ＨＣ２における電流Ｉの変動幅を示している。本実施例では、ｄ２＝０である。ｄ２＝０である理由については、後述する。
【００４８】
なお、本実施例の駆動信号は、「Ｔ１＝Ｔ２、Ｉｍ１＝Ｉｍ２」という条件を満たしている（図５）。ここで、第１電流値Ｉｍ１は、２つの値Ｉｍ１ａ、Ｉｍ１ｂの平均値である。以上により、本実施例では、第１半周期ＨＣ１の電力量は、第２半周期ＨＣ２の電力量と、ほぼ同じである。すなわち、第１状態Ｓ１と第２状態Ｓ２との間の放電灯５００の明るさの差が過剰に大きくなることを抑制できる。
【００４９】
図６（Ａ）、６（Ｂ）は、駆動信号と電極温度との説明図である。図６（Ａ）は、図４（Ｃ）と同様の交流電力（駆動信号）のタイミングチャートを示し、図６（Ｂ）は、図４（Ｄ）と同様の温度ＴＰの変化を示している。破線のグラフＩＣ、ＴＣは、図４（Ｃ）、４（Ｄ）の例と同じである（以下、第１比較例と呼ぶ）。実線のグラフＩＥ、ＴＥは、本実施例を示している。
【００５０】
第１半周期ＨＣ１の前半ＦＨでは、電流ＩＥは、第１比較例ＩＣよりも小さい。従って、温度ＴＥは、第１比較例ＴＣよりも低い。半周期の後半ＬＨでは、電流ＩＥは、第１比較例ＩＣよりも大きい。従って、温度ＴＥは、第１比較例ＴＣよりも高い。特に、電流Ｉが最大ピークＰｋである時に、温度ＴＥは最高ＴＰｍａｘＥになる。そして、温度ＴＰが高い状態で第１状態Ｓ１が終了し、第２状態Ｓ２が始まる。第２状態Ｓ２では、温度ＴＥは、第１比較例ＴＣと同様に降下する。なお、図６（Ｂ）の例では、２つの温度ＴＣ、ＴＥのそれぞれの最低値が同じ値ＴＰｍｉｎであるが、これらの最低値は、条件によっては互いに異なる場合もある。
【００５１】
以上のように、本実施例（ＩＥ、ＴＥ）では、第１比較例（ＩＣ、ＴＣ）と比べて、温度ＴＰを高くすることができるので、第１電極５３２（図４（Ａ））の先端（突起５３２ｐ）に生じた凹凸を溶かすことができる。また、第１状態Ｓ１の半周期の後半ＬＨで温度ＴＰが高いので、第１電極５３２の先端が滑らかな状態で、第１電極５３２の極性を陽極から陰極に切り替えることができる。その結果、第１電極５３２が陰極として動作する第２状態Ｓ２において、第１電極５３２上におけるアークジャンプを抑制できる。この効果は、最大ピークＰｋのタイミングが遅いほど、すなわち、最大ピークＰｋのタイミングが第１状態Ｓ１から第２状態Ｓ２への切替タイミングに近いほど、顕著である。また、半周期の前半ＦＨでは、電流ＩＥが、第１比較例ＩＣよりも小さいので、消費電力が過剰に大きくなることを抑制できる。従って、第１電極５３２の温度が過剰に高くなることを抑制できる。その結果、第１電極５３２に意図しない変形が生じることを抑制できる。
【００５２】
次に、電極の先端部分における温度分布について説明する。電極の先端部分では、以下のように温度が分布すると推定される。図７は、第１電極５３２の先端（突起５３２ｐ）における温度分布を示す説明図である。図中の左部分には、第１電極５３２の中心線ＣＬを通る断面図が示されている。本実施例では、中心線ＣＬは、突起５３２ｐの頂点ＰＰを通る。また、図７の右部分には、第１電極５３２の表面の温度ＴＰｆの分布が示されている。横軸は温度ＴＰｆを示し、縦軸は、中心線ＣＬと垂直な方向の位置ＰＳを示している。破線のグラフＴＤＣは、上述の第１比較例を示し、実線のグラフＴＤＥは、本実施例を示している。これらの温度分布は、状態が、第１状態Ｓ１から第２状態Ｓ２へ切り替わる直前の分布を示している。図示するように、頂点ＰＰ（中心線ＣＬ）での温度ＴＰｆが最も高く、頂点ＰＰから遠いほど、温度ＴＰｆが低くなる、と推定される。この理由は、頂点ＰＰで放電が起きているからである。なお、図６（Ｂ）に示す温度ＴＰは、この温度ＴＰｆ分布を総合した平均的な温度に相当する。
【００５３】
本実施例では、第１比較例と比べて、第１半周期ＨＣ１の前半ＦＨで頂点ＰＰ付近の温度がより低く、そして、後半ＬＨで頂点ＰＰ付近の温度がより高い（この特徴は、図６（Ｂ）に示す第１比較例ＴＣと本実施例ＴＥとが示す特徴と同じである）。従って、本実施例に関しては、前半ＦＨでは、第１電極５３２の先端（突起５３２ｐ）の温度は低い。後半ＬＨでは、頂点ＰＰ付近の温度が高くなる。しかし、頂点ＰＰ付近からその周辺部分に熱が伝達する前に、第１電極５３２の極性が、陽極から陰極に切り替わる。その結果、第１比較例ＴＤＣと比べて、本実施例ＴＤＥはシャープである（分布の幅が狭い）、と推定される。
【００５４】
このような、幅の狭い温度分布は、アークジャンプを抑制可能である。この理由は、陰極においては、温度の高い部分が、電子を放出し易いからである。温度分布の幅が狭い場合には、電子を放出し易い部分が狭いので、アークジャンプを抑制できる。この効果は、最大ピークＰｋのタイミングが遅いほど、すなわち、最大ピークＰｋのタイミングが第１状態Ｓ１から第２状態Ｓ２への切替タイミングに近いほど、顕著である。
【００５５】
以上のように、第１半周期ＨＣ１の後半に電流の最大ピークを設けることによって、第１電極５３２の温度を適切に高めることができる。その結果、第１電極５３２に関する種々の不具合（例えば、先端の凹凸、アークジャンプ）を抑制できる。なお、本実施例では、図５に示すように、第２半周期ＨＣ２では、電流Ｉが一定値に維持される。次に、この理由について説明する。
【００５６】
図８は、電流Ｉ（駆動信号）と、放電灯５００から放出される光の明るさＬＢとの経時変化を示すタイミングチャートである。横軸は時間Ｔを示している。図８（Ａ）は、第２比較例を示し、図８（Ｂ）は第１実施例を示している。第２比較例の駆動信号は、第１実施例の駆動信号において、第２半周期ＨＣ２の電流Ｉを、第１半周期ＨＣ１と同様に変化させたものである。ここで、明るさＬＢは、電流Ｉ（絶対値）が大きいほど明るい。従って、図８（Ａ）に示すように、第２比較例では、明るさＬＢは、駆動信号の半周期毎に変動する。
【００５７】
一方、本実施例では、図８（Ｂ）に示すように、第２半周期ＨＣ２では電流Ｉが変化しない。従って、明るさＬＢも、第２半周期ＨＣ２内では変化しない。このように、第２比較例と比べて、本実施例では、点灯中における明るさＬＢが変動する時間の割合が小さい。換言すれば、明るさＬＢが安定していると言うこともできる。
【００５８】
ところで、明るさＬＢが変動することは、種々の不具合を引き起こし得る。例えば、本実施例では、液晶ライトバルブ３３０Ｒ、３３０Ｇ、３３０Ｂ（図１）が、周期的に駆動される（液晶ライトバルブは、液晶パネルとも呼ばれる。また、パネルの駆動周波数は、リフレッシュレートとも呼ばれる）。このような周期的な駆動は、液晶ライトバルブ３３０Ｒ、３３０Ｇ、３３０Ｂの各画素の透過率（開口率とも呼ばれる）の周期的な変動を、引き起こす場合がある。例えば、液晶ライトバルブの駆動回路（図示せず）は、液晶ライトバルブの各画素に、水平同期信号と垂直同期信号とに従って、水平方向および垂直方向に順番に、駆動電圧（「画素駆動電圧」と呼ぶ）を印加する。画素駆動電圧は、画素の透過率を決定する。ここで、駆動回路における漏れ電流が、時間の経過とともに、画素駆動電圧を低下させる場合がある。この場合には、同じ透過率を画素が維持すべき場合であっても、その画素の駆動電圧がパネル駆動周波数に従って変動する。これらの結果、各画素の透過率が、水平方向および垂直方向に順番に、パネル駆動周波数に従って変動する。ここで、放電灯５００の駆動周波数（すなわち、明るさＬＢの変動周波数）が、パネル駆動周波数と同期していない場合には、表示画像上を移動する明るさのムラが観察され得る（スクロールノイズとも呼ばれる）。なお、放電灯５００の駆動周波数が、パネル駆動周波数の整数倍である場合には、このようなスクロールノイズは目立ちにくい。
【００５９】
このようなスクロールノイズは、明るさＬＢの変動が、透過率の変動と干渉することによって生じる。従って、明るさＬＢの変動幅が大きいほどスクロールノイズは目立ちやすい。また、明るさＬＢの変動する時間の割合が大きいほどスクロールノイズは目立ちやすい。本実施例では、上述したように、明るさＬＢが変動する時間の割合が小さい。従って、スクロールノイズが目立つことを抑制できる。
【００６０】
以上のように、本実施例では、第１半周期ＨＣ１においては、後半に電流の最大ピークを設けている（図５、図６（Ａ））。その結果、第１電極５３２の温度が上昇し難い場合であっても、第１電極５３２の温度を適切に高めることができる。そして、第１電極５３２に関する種々の不具合（例えば、先端の凹凸、アークジャンプ）を抑制できる。さらに、第２半周期ＨＣ２では、電流Ｉを一定値に維持している。従って、明るさＬＢの変動が抑制される。その結果、明るさＬＢの変動に起因する種々の不具合を抑制できる。
【００６１】
Ｂ．第２実施例：
図９は、駆動信号（電流Ｉ）の波形の別の実施例を示す説明図である。図５に示す第１実施例との差違は、第１半周期ＨＣ１中に、電流Ｉがステップ状に増大している点だけである。他の構成は、第１実施例と同じである。本実施例では、後半ＬＨの最後の一部分で電流Ｉが最大値Ｉｍ１ｂに設定され、第１半周期ＨＣ１の他の部分で電流Ｉが最小値Ｉｍ１ａに設定されている。このように、第２実施例においても、第１半周期ＨＣ１の後半ＬＨに電流の最大ピークが設けられている。その結果、第１実施例と同様に、第１電極５３２の温度を適切に高めることができる。なお、第２実施例においても、図５に示す第１実施例と同様に、第１状態Ｓ１から第２状態Ｓ２に切り替わる直前に最大ピークＰｋが設けられているということができる。
【００６２】
Ｃ．第３実施例：
図１０は、駆動信号（電流Ｉ）の波形の別の実施例を示す説明図である。図５に示す第１実施例との差違は、第２半周期ＨＣ２において、電流Ｉ（絶対値）が、時間Ｔとともに、最小値Ｉｍ２ａから最大値Ｉｍ２ｂまで直線的に増大している点だけである。他の構成は、第１実施例と同じである。このように、第３実施例では、第２半周期ＨＣ２の後半に電流の最大ピークが設けられている。その結果、第１電極５３２に加えて、第２電極５４２の温度を適切に高めることができる。そして、第２電極５４２に関する種々の不具合（例えば、先端の凹凸、アークジャンプ）を抑制できる。
【００６３】
また、第３実施例では、第２変動幅ｄ２がゼロよりも大きい（Ｉｍ２ｂ−Ｉｍ２ａ）。ただし、第２変動幅ｄ２は、第１変動幅ｄ１よりも小さい。その結果、第２半周期ＨＣ２において放電灯５００の明るさが過剰に変動することを抑制できる。その結果、明るさ変動に起因する種々の不具合（例えば、スクロールノイズ）を抑制できる。
【００６４】
なお、本実施例の駆動信号は「Ｔ１＝Ｔ２、Ｉｍ１＝Ｉｍ２」という条件を満たしている。ここで、第２電流値Ｉｍ２は、２つの値Ｉｍ２ａ、Ｉｍ２ｂの平均値である。これらにより、第１状態Ｓ１と第２状態Ｓ２との間の電力量の差、すなわち、放電灯５００の明るさの差が、過剰に大きくなることを抑制できる。ただし、Ｉｍ１＞Ｉｍ２であってもよく、Ｉｍ１＜Ｉｍ２であってもよい。
【００６５】
Ｄ．第４実施例：
図１１は、駆動信号（電流Ｉ）の波形の別の実施例を示す説明図である。図５に示す第１実施例との差違は、第１時間Ｔ１が第２時間Ｔ２よりも長い点だけである。すなわち、電力供給部２００（図３）は、第１状態Ｓ１の時間の割合よりも第２状態Ｓ２の時間の割合が小さくなるように、デューティ比を制御する。従って、第１状態Ｓ１での電力量を、第２状態Ｓ２での電力量よりも大きくすることができる。その結果、第１電極５３２の温度が過剰に降下することを抑制できる。また、第２電極５４２の温度が過剰に上昇することを抑制できる。そして、第１電極５３２と第２電極５４２との間の温度差を小さくすることができる。なお、第１状態Ｓ１のデューティ比は、１周期の時間（Ｔ１＋Ｔ２）に対する第１時間Ｔ１の割合によって表される。また、第２状態Ｓ２のデューティ比は、１周期の時間に対する第２時間Ｔ２の割合によって表される。なお、第１時間Ｔ１と第２時間Ｔ２とは、予め実験的に決定すればよい。
【００６６】
Ｅ．第５実施例：
図１２は、駆動信号（電流Ｉ）の波形の別の実施例を示す説明図である。図１０に示す第３実施例との差違は、第１時間Ｔ１が第２時間Ｔ２よりも長い点だけである。これにより、第１電極５３２の温度が過剰に降下することを抑制できる。また、第２電極５４２の温度が過剰に上昇することを抑制できる。そして、第１電極５３２と第２電極５４２との間の温度差を小さくすることができる。
【００６７】
Ｆ．第６実施例：
図１３は、駆動信号（電流Ｉ）の波形の別の実施例を示す説明図である。図５に示す第１実施例との差違は、最大ピークＰｋが、後半ＬＨの最後の代わりに、後半ＬＨの途中に設けられている点である。第１半周期ＨＣ１が始まると、電流Ｉ（絶対値）は、最小値Ｉｍ１ａから最大値Ｉｍ１ｂまで増大する。電流Ｉが最大値Ｉｍ１ｂとなるタイミングは、後半ＬＨの途中である。その後、電流Ｉは、最小値Ｉｍ１ａまで低減する。このように、最大ピークＰｋは、後半ＬＨの途中に設けられても良い。この場合も、最大ピークＰｋが前半ＦＨに設けられた場合と比べて、第１電極５３２が陽極から陰極に切り替わる時点での第１電極５３２の温度を適切に高めることができる。また、第１電極５３２の先端での温度分布が過剰に広くなることを抑制できる。これらの結果、第１電極５３２に関する種々の不具合（例えば、先端の凹凸、アークジャンプ）を抑制できる。なお、本実施例において、第１半周期ＨＣ１の開始時の電流Ｉが、第１半周期ＨＣ１の終了時の電流Ｉと異なっていても良い。
【００６８】
Ｇ．第７実施例：
図１４は、第７実施例における光源装置１００Ａ（光源ユニット１１０Ａ）の構成を示す説明図である。図２に示す光源装置１００（光源ユニット１１０）との差違は、副反射鏡５２０と固定部材５２２とが省略されている点だけである。他の構成は、図２の光源装置１００と同じである。なお、本実施例の光源装置１００Ａは、上述の各実施例において、光源装置１００の代わりに利用可能である。
【００６９】
図２に示す実施例と同様に、放電灯本体５１０（放電灯５００Ａ）の第１端部５１０ｅ１には、主反射鏡１１２が固定されている。放電灯本体５１０の温度が上昇すると、熱が、放電灯本体５１０から固定部材１１４を介して主反射鏡１１２に伝導する。このように、主反射鏡１１２は、放電灯本体５１０の放熱器として機能する。特に、主反射鏡１１２は、第２端部５１０ｅ２側よりも、第１端部５１０ｅ１側を強く冷却する。すなわち、第１電極５３２の温度が、第２電極５４２の温度と比べて、低温となり得る。このように、副反射鏡５２０が無い場合であっても、第１電極５３２の温度は、第２電極５４２の温度と比べて、低温になり易い。そこで、上述の各実施例のように、第１半周期ＨＣ１の後半に最大ピークが設けられた駆動信号を利用することが好ましい。こうすれば、第１電極５３２に関する種々の不具合（例えば、先端の凹凸、アークジャンプ）を抑制できる。
【００７０】
Ｈ．第８実施例：
図１５は、第８実施例における光源装置１００Ｂ（光源ユニット１１０Ｂ）の構成を示す説明図である。図１４に示す光源装置１００Ａ（光源ユニット１１０Ａ）との差違は、主反射鏡１１２Ｂの向きが９０度だけ回転している点だけである。他の構成は、図１４の光源装置１００Ａと同じである。なお、本実施例の光源装置１００Ｂは、上述の各実施例において、光源装置１００の代わりに利用可能である。
【００７１】
本実施例では、主反射鏡１１２Ｂは、２つの電極５３２、５４２を通るラインＥＤとは垂直な照射方向ＤＢを向いている（放電灯本体５１０からみて、ラインＥＤは図８の光軸ＡＸと同じである）。そして、光軸ＡＸＢは、ラインＥＤと垂直で、２つの電極５３２、５４２の間を通る。このように、２つの電極５３２、５４２を通るラインＥＤが、光軸ＡＸＢと平行でなくてもよい。
【００７２】
このような光源ユニット１１０Ｂを利用する場合にも、種々の要因が、２つの電極５３２、５４２の間の温度差を引き起こし得る。例えば、図中の破線の矢印は、図示しない冷却ファンからの冷却風ＣＷの流れを示している。図示するように、冷却風ＣＷは、主反射鏡１１２Ｂの反射面に沿って流れる。本実施例では、冷却風ＣＷは、第１端部５１０ｅ１側を流れた後、第２端部５１０ｅ２側を流れる。その結果、冷却風ＣＷは、第２端部５１０ｅ２側よりも、第１端部５１０ｅ１側を強く冷却する。すなわち、第１電極５３２の温度が、第２電極５４２の温度と比べて、低温となり得る。そこで、上述の各実施例のように、第１半周期ＨＣ１の後半に最大ピークが設けられた駆動信号を利用することが好ましい。こうすれば、第１電極５３２に関する種々の不具合（例えば、先端の凹凸、アークジャンプ）を抑制できる。
【００７３】
Ｉ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００７４】
変形例１：
上述の各実施例において、２つの電極５３２、５４２に供給される駆動信号としては、図５、図９〜図１３に示す駆動信号に限らず、種々の駆動信号を採用可能である。例えば、電流Ｉが複数の段階に分けてステップ状に変化してもよい。また、電流Ｉの変化が曲線状であってもよい。これらは、第１状態Ｓ１での電流Ｉに限らず、第２状態Ｓ２での電流Ｉについても同様である。
【００７５】
一般には、以下のような２つの条件Ａ、Ｂを満たす駆動信号を採用することが好ましい。
（条件Ａ）第１電極が陽極として動作する第１半周期において、第１半周期における電流の最大ピークが、第１半周期の内の後半に形成される。
（条件Ｂ）第２電極が陽極として動作する第２半周期において、第２半周期における電流の変動幅が、第１半周期における電流の変動幅よりも小さい。
なお、駆動信号の具体的な値（例えば、電流値と周波数）は、予め実験的に決定すればよい。
【００７６】
駆動信号が条件Ａを満たすことによって、第１電極の温度を適切に高めることができる。その結果、第１電極に関する種々の不具合（例えば、先端の凹凸、アークジャンプ）を抑制できる。また、駆動信号が条件Ｂを満たすことによって、明るさ変動に起因する種々の不具合を抑制できる。このような不具合としては、例えば、スクロールノイズや、画面のちらつき等の種々の不具合がある。なお、第１電極としては、２つの電極の内の比較的低温になりやすい電極を選択することが好ましい。
【００７７】
上述の条件Ａ、Ｂを満たす場合には、以下のような駆動信号の変形も可能である。例えば、図５、図９、図１０に示す実施例において、第２時間Ｔ２が第１時間Ｔ１よりも長くても良い。また、Ｉｍ１＞Ｉｍ２であってもよく、Ｉｍ１＜Ｉｍ２であってもよい。
【００７８】
いずれの場合も、第２半周期ＨＣ２において、電流Ｉが一定値に維持されることが好ましい。こうすれば、放電ランプの明るさが変動する時間の割合を小さくすることができる。その結果、明るさ変動に起因する種々の不具合を抑制できる。また、第１半周期ＨＣ１から、第２半周期ＨＣ２に切り替わる直前に、電流Ｉの最大ピークが形成されることが好ましい。こうすれば、より適切に、第１電極の温度を高めることができる。また、第１状態Ｓ１の累積時間よりも第２状態Ｓ２の累積時間が短くなるように、交流電力の極性を切り替えることが好ましい。こうすれば、極性の切替によって、容易に、第１状態Ｓ１での電力量を第２状態Ｓ２での電力量よりも大きくすることができる。従って、第１電極の温度が低く第２電極の温度が高いことを示す温度差が過剰に大きくなることを抑制できる。ここで、累積時間としては、１周期と比べて十分に長い時間（例えば、数時間といった１００万サイクルより長い時間）の間、放電ランプを点灯させた場合の、各状態Ｓ１、Ｓ２のそれぞれの累積時間を利用すればよい。いずれの場合も、デューティ比が、時間とともに変化してもよい。
【００７９】
変形例２：
上述の各実施例において、放電灯本体５１０の構成、材料等は一例であり、他の構成、材料等を採用可能である。例えば、２つの電極５３２、５４２が同じ軸上で向かい合う代わりに、２つの電極５３２、５４２が同じ方向に向かって突出してもよい。一般には、２つの放電電極を含む任意の構成を採用可能である。また、ランプの種類としては、例えば、高圧水銀ランプやメタルハライドランプ等の種々の種類を採用可能である。また、光源ユニットの構成としては、図２、図１４、図１５に示す構成に限らず、放電ランプを含む任意の構成を採用可能である。例えば、反射鏡１１２、５２０が省略されてもよい。
【００８０】
変形例３：
上述の各実施例では、液晶ライトバルブ３３０Ｒ、３３０Ｇ、３３０Ｂは透過型であるが、この代わりに、反射型の液晶ライトバルブを採用してもよい。また、上述の各実施例において、放電ランプによって発せられた光を、画像を投写するための投写光に変調する空間光変調部としては、液晶ライトバルブに限らず、任意の空間光変調装置を採用可能である。例えば、デジタルマイクロミラーデバイス（ＤＭＤ：ＴＩ社の商標）などのマイクロミラー型光変調装置を用いることもできる。また、空間光変調部の総数は、３に限らず、任意である。例えば、１つや２つや４以上を採用可能である。
【００８１】
変形例４：
上述の各実施例において、光源装置１００、１００Ａ、１００Ｂは、プロジェクタに限らず、他の任意の装置に組み込んでもよい。例えば、車両のヘッドライトや、照明機器を採用可能である。いずれの場合も、上述の各実施例のように、第２変動幅ｄ２が第１変動幅ｄ１よりも小さいことが好ましい（図５、９、１０、１１、１２、１３）。こうすれば、光線装置（放電ランプ）の明るさの望まれない変動を抑制できる。
【００８２】
変形例５：
上述の各実施例において、電力供給部２００の構成としては、図３に示す構成に限らず、上述したような交流電力を出力可能な任意の構成を採用可能である。例えば、ダウンチョッパ回路Ｃ１が省略されてもよい。また、イグナイタ回路Ｃ３の代わりに、他の点灯開始装置を利用してもよい。また、交流電力の波形を制御する回路としては、インバータブリッジ回路Ｃ２に限らず、他の種々の回路を採用可能である。
【００８３】
また、放電ランプの駆動装置としては、電力供給部２００を有する種々の構成を採用可能である。例えば、電力供給部２００と電源とを含む構成を採用可能である。この代わりに、駆動装置から電源を省略してもよい。この場合、外部電源を利用すればよい。
【００８４】
変形例６：
上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図３の制御回路Ｃ４の機能を、ＣＰＵとメモリとを有するコンピュータによって実現してもよい。
【００８５】
また、本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００８６】
【図１】本発明の一実施例としてのプロジェクタ１０００を示す説明図である。
【図２】光源装置１００の構成を示す説明図である。
【図３】電力供給部２００の構成を示す説明図である。
【図４】電力の極性と電極の温度との関係を示す説明図である。
【図５】本実施例の電流Ｉの波形を示す説明図である。
【図６】駆動信号と電極温度との説明図である。
【図７】第１電極５３２の先端（突起５３２ｐ）における温度分布を示す説明図である。
【図８】電流Ｉ（駆動信号）と放電灯５００から放出される光の明るさＬＢとの経時変化を示すタイミングチャートである。
【図９】駆動信号（電流Ｉ）の波形の別の実施例を示す説明図である。
【図１０】駆動信号（電流Ｉ）の波形の別の実施例を示す説明図である。
【図１１】駆動信号（電流Ｉ）の波形の別の実施例を示す説明図である。
【図１２】駆動信号（電流Ｉ）の波形の別の実施例を示す説明図である。
【図１３】駆動信号（電流Ｉ）の波形の別の実施例を示す説明図である。
【図１４】第７実施例における光源装置１００Ａ（光源ユニット１１０Ａ）の構成を示す説明図である。
【図１５】第８実施例における光源装置１００Ｂ（光源ユニット１１０Ｂ）の構成を示す説明図である。
【符号の説明】
【００８７】
１００、１００Ａ、１００Ｂ...光源装置
１１０、１１０Ａ、１１０Ｂ...光源ユニット
１１２、１１２Ｂ...主反射鏡
１１４...固定部材
２００...電力供給部
３０５...平行化レンズ
３１０...照明光学系
３２０...色分離光学系
３３０Ｒ、３３０Ｇ、３３０Ｂ...液晶ライトバルブ
３４０...クロスダイクロイックプリズム
３５０...投写光学系
５００、５００Ａ...放電灯
５１０...放電灯本体
５１２...放電空間
５２０...副反射鏡
５２２...固定部材
５３２...第１電極
５３２ｐ...突起
５３４...導電性部材
５３６...第１端子
５４２...第２電極
５４２ｐ...突起
５４４...導電性部材
５４６...第２端子
１０００...プロジェクタ
５１０ｅ１...第１端部
５１０ｅ２...第２端部
Ｃ１...ダウンチョッパ回路
Ｄ１...ダイオード
Ｌ１...コイル
Ｃｄ１...コンデンサ
Ｃ２...インバータブリッジ回路
Ｃ３...イグナイタ回路
Ｃ４...制御回路
ＤＢ...照射方向
ＥＤ...ライン
ＣＷ...冷却風
ＡＸ、ＡＸＢ...光軸
ＯＬ１...第１出力ライン
ＯＬ２...第２出力ライン
ＣＳｃ、ＣＳ１、ＣＳ２、ＣＳ３、ＣＳ４...制御信号
Ｔｒ１、Ｔｒ２、Ｔｒ３、Ｔｒ４...トランジスタ
Ｔｒｃ...スイッチ素子
【図１】
2009193935.tif 000003
【図２】
2009193935.tif 000004
【図３】
2009193935.tif 000005
【図４】
2009193935.tif 000006
【図５】
2009193935.tif 000007
【図６】
2009193935.tif 000008
【図７】
2009193935.tif 000009
【図８】
2009193935.tif 000010
【図９】
2009193935.tif 000011
【図１０】
2009193935.tif 000012
【図１１】
2009193935.tif 000013
【図１２】
2009193935.tif 000014
【図１３】
2009193935.tif 000015
【図１４】
2009193935.tif 000016
【図１５】
2009193935.tif 000017